(57)【要約】【課題】  インターネットを介して処方箋薬局間で余剰の医薬品を売買することができる信用度の高い医薬品流通システムを提供する。【解決手段】  会員のみのアクセスを許可する会員情報管理機能１１と、取引を管理する取引管理機能１２と、取引医薬品を一覧表示する取引医薬品一覧表示機能１３と、ＤＢ管理機能１４と、会員情報ＤＢ１５と、医薬品情報を登録する医薬品情報ＤＢ１６と、出品医薬品の名称や数量使用期限、出品者名などが登録される出品医薬品ＤＢ１７とを有する医薬品取引サーバ３と、ＩＤとパスワードを有する会員端末３とがインターネット５を介して相互に接続される医薬品流通システムであって、出品要請があると、出品医薬品情報を出品医薬品ＤＢ１７に登録し、購入要請があると、該当する医薬品の出品医薬品情報を表示して、購入希望者が購入を確定すると、取引を終了させる。【選択図】        図１
2007026035.tif 000002
【特許請求の範囲】
【請求項１】
医薬品取引情報を共有するサーバである医薬品取引サーバと、複数の薬局の端末である会員端末がインターネットを介して相互に接続される、医薬品流通システムにおいて、
前記医薬品取引サーバは、会員情報を管理し会員のみのアクセスを許可する会員情報管理機能と、会員相互間での取引を管理する取引管理機能と、取引医薬品を一覧表示する取引医薬品一覧表示機能と、データベースの内容を管理するデータベース管理機能と、会員情報が登録される会員情報データベースと、医薬品情報が登録される医薬品情報データベースと、出品する医薬品の名称や数量使用期限、出品者名などが登録される出品医薬品データベースとを有し、
前記会員端末は、自己のＩＤとパスワードを有しており、
前記医薬品取引サーバは、
出品を希望するアクセス可能な会員端末から出品要請があると、医薬品情報データベースを参照して当該医薬品の名称、剤形、単位製薬会社名出品数、使用期限、割引率、購入単価、出品者情報を含む出品医薬品情報を出品医薬品データベースに登録し、
購入を希望するアクセス可能な会員端末から購入要請があると、該当する医薬品の出品医薬品情報を表示して、購入希望者が購入を確定すると、取引を終了させることを特徴とする
医薬品流通システム。
【請求項２】
請求項１記載の医薬品流通システムにおいて、
前記医薬品取引サーバは、購入希望会員からの購入希望情報を登録する購入医薬品データベースを有し、出品希望会員からのアクセスがあると、購入医薬品データベースにアクセス可能とする
ことを特徴とする医薬品流通システム。
【請求項３】
請求項１または請求項２に記載の医薬品流通システムにおいて、
前記医薬品取引サーバは、加入希望者から加入希望要請があると、パスワード、薬局名、薬局所在地、薬局開設許可番号、メールアドレスを取得し、加入希望者からの薬局開設許可証により薬局開設許可番号を確認すると、加入希望者にＩＤを発行して会員情報データベースに登録することを特徴とする医薬品流通システム。
【発明の詳細な説明】
【技術分野】
【０００１】
本発明は、処方箋薬局間での医薬品を相互に融通しあう流通システムに関する。
【背景技術】
【０００２】
処方箋薬局は、一般の売薬を販売する薬局と異なり、医師が作成した処方箋に基づいて薬剤を調合して販売する薬局である。処方箋薬局で扱う医薬品は、使用期限が過ぎた医薬品を廃棄処分することが義務付けられており、使用期限が過ぎた医薬品を販売することは一切禁じられている。
【０００３】
また、調剤薬局では、医師の処方に基づいて調剤したり既存の医薬品を選択して提供するものであることから、医師によって特に好んで多く使用する医薬品がある場合、その医師がいる病院の近くにある薬局などは、その医薬品を十分量準備しておく必要がある。しかしながら、その医師が転出するなどして特定の医薬品の使用量が減ると、準備した医薬品の使用期限が切れるなどの不都合を生じる。
【０００４】
このような場合に、複数の処方箋薬局が保管する医薬品のうち、他に転売することが可能なもしくは転売したい医薬品を他の処方箋薬局に知らせて、これを必要とする処方箋薬局に転売することによって、使用期限切れ医薬品の発生を防止することが望まれる。
【０００５】
このような要求にこたえるために、インターネットのホームページ上で、処方箋薬局を会員とする医薬品の売買を仲介するシステムにおいて、（ａ）会員情報を蓄積するデータベースと、会員が通信端末からアクセスした際、会員か非会員かの照合をする会員照合手段と、会員が通信端末からアクセスした情報を蓄積するアクセスデータベースと、からなる会員データ管理部と、（ｂ）医薬品を蓄積する医薬品データベースと、医薬品データベースに登録されている医薬品情報を検索する医薬品検索手段と、医薬品データベースに登録されていない医薬品情報を新規に登録する医薬品登録手段と、からなる医薬品データ管理部と、（ｃ）販売、購入しようとする医薬品の販売条件、購入条件を提示する取引条件提示手段と、販売条件を記録蓄積する売り情報データベースと、購入条件を記録蓄積する買い情報データベースと、販売条件、購入条件を検索する取引条件検索手段と、販売条件と購入条件の照合をする取引条件照合手段と、成立した取引の取引内容を記録蓄積する取引内容データベースと、からなる取引仲介管理部と、（ｄ）医薬品を運送する業者を記録する運送業者データベースと、成立した取引の取引内容から、最適な運送方法、運送業者を選ぶ運送業者選択手段と、からなる集荷配達管理部と、から構成される仲介サーバが設けられ、該仲介サーバに対して会員は、通信端末からインターネットを介して接続され、会員情報は完全非公開で取引されることからなる医薬品販売仲介システムが、提案されている（例えば、特許文献１参照）。
【０００６】
この医薬品販売仲介システムは、全ての取引において、お互いの薬局名を一切公開することなく取引を完了させることを目的とするもので、出品者および購入者は相手を知ることができず、取引の信用を確保する点で問題がある。
【特許文献１】特開２００４−３１０３６４号公報
【発明の開示】
【発明が解決しようとする課題】
【０００７】
上記状況に対して、本発明は、インターネットを介して取引相手の信用度を加味して処方箋薬局間で余剰の医薬品を売買することができる医薬品流通システムを提供することを目的とする。
【課題を解決するための手段】
【０００８】
上記課題を解決するために、本発明は、医薬品取引情報を共有するサーバである医薬品取引サーバと、複数の薬局の端末である会員端末がインターネットを介して相互に接続される、医薬品流通システムにおいて、前記医薬品取引サーバは、会員情報を管理し会員のみのアクセスを許可する会員情報管理機能と、会員相互間での取引を管理する取引管理機能と、取引医薬品を一覧表示する取引医薬品一覧表示機能と、データベースの内容を管理するデータベース管理機能と、会員情報が登録される会員情報データベースと、医薬品情報が登録される医薬品情報データベースと、出品する医薬品の名称や数量使用期限、出品者名などが登録される出品医薬品データベースとを有し、前記会員端末は、自己のＩＤとパスワードを有しており、前記医薬品取引サーバは、出品を希望するアクセス可能な会員端末から出品要請があると、医薬品情報データベースを参照して当該医薬品の名称、剤形、単位製薬会社名出品数、使用期限、割引率、購入単価、出品者情報を含む出品医薬品情報を出品医薬品データベースに登録し、購入を希望するアクセス可能な会員端末から購入要請があると、該当する医薬品の出品医薬品情報を表示して、購入希望者が購入を確定すると、取引を終了させるようにした。
【０００９】
また、本発明は、上記医薬品流通システムにおいて、前記医薬品取引サーバは、購入希望会員からの購入希望情報を登録する購入医薬品データベースを有し、出品希望会員からのアクセスがあると、購入医薬品データベースにアクセス可能とした。
【００１０】
さらに、本発明は、上記医薬品流通システムにおいて、前記医薬品取引サーバは、加入希望者から加入希望要請があると、パスワード、薬局名、薬局所在地、薬局開設許可番号、メールアドレスを取得し、加入希望者からの薬局開設許可証により薬局開設許可番号を確認すると、加入希望者にＩＤを発行して会員情報データベースに登録するようにした。
【発明の効果】
【００１１】
以上のように、本発明によれば、取引する出品者と購入者が取る引き相手を知った上で、余剰医薬品を売買できるので、信用度の高い取引が可能となる。さらに、取引相手が、顕在化しているので、取引の誤りや代金の回収の誤りなどを防ぐことができる。
【発明を実施するための最良の形態】
【００１２】
図面を用いて本発明にかかる医薬品流通システムの構成を説明する。図１は医薬品流通システムの概要を説明する図である。医薬品流通システムは、医薬品取引サーバとして働く医薬品取引サーバ１と、会員端末３−１〜３−ｎとを、インターネット５を介して接続して構成される。医薬品取引サーバ１には管理端末２が接続される。
【００１３】
医薬品取引サーバ１は、会員情報管理機能１１と、取引管理機能１２と、取引医薬品一覧表示機能と、データベース（以下、ＤＢという）管理機能１４と、会員情報ＤＢ１５と、医薬品情報ＤＢ１６と、出品医薬品ＤＢ１７と、購入医薬品ＤＢ１８とを有している。さらに、医薬品取引サーバ１は、通信機能、セキュリティ確保機能などのサーバとしての基本機能を有している。
【００１４】
会員情報管理機能１１は、会員情報ＤＢ１４に会員の登録処理・変更処理・削除処理などを登録する会員登録機能、新規会員に対してＩＤを発行したり会員のパスワードを取得するＩＤ発行機能、登録会員のみが医薬品取引サーバへアクセスすることを許すアクセス管理機能などを有する。
【００１５】
取引管理機能１２は、出品者からの出品要請と、購入者からの購入要請に基づいて、取引を管理する機能であり、出品要請があったときに、出品要請を出品医薬品ＤＢ１７に登録し、購入要請を購入要請ＤＢ１８に登録する機能、取引が終了したときに出品医薬品ＤＢ１７の内容を削除・変更する機能、などを有している。取引管理機能１２は、出品医薬品登録画面および購入希望医薬品登録画面を有しており、会員間の医薬品取引を運営管理する機能を有している。すなわち、取引管理機能１２は、出品医薬品登録画面に出品医薬品データを表示し、出品医薬品ＤＢ１７に出品医薬品を登録する機能、出品医薬品ＤＢ１７に登録済みの出品医薬品を修正・削除する機能を有している。
【００１６】
取引医薬品一覧表示機能１３は、取引の対象となる医薬品を一覧表示する機能であり、出品医薬品の使用期限などに基づいて割引率などのランクを決定して表示内容を決定する働きを有している。例えば、割引率は使用期限の残月数によって異ならせることができ、残月数が少なくなればなるほど、割引率は高く設定できる。
【００１７】
ＤＢ管理機能１４は、出品医薬品ＤＢ１７の登録された使用期限に基づく割引率などのランクを変更・登録する機能などのＤＢ管理機能である。
【００１８】
会員情報管理ＤＢ１５は、会員のＩＤ・パスワードのアクセス条件を登録するとともに、新規に会員登録するときに取得した薬局の免許番号等を登録しておくＤＢである。
【００１９】
医薬品情報ＤＢ１６は、医薬品の名称、数量、単価、使用期限などの取引対象となる医薬品の情報が格納されるＤＢである。
【００２０】
出品医薬品ＤＢ１７は、出品を希望する会員から出品要請があった医薬品の情報が登録されるＤＢであり、出品医薬品名、出品数量、出品医薬品の使用期限、出品希望価格、出品者名などが登録される。
【００２１】
購入医薬品ＤＢ１８は、購入を希望する会員からの購入要請があった医薬品の情報が  登録されるＤＢであり、購入希望医薬品名、購入希望数量、購入希望価格、購入希望者名などが登録される。
【００２２】
管理端末２は、医薬品取引サーバ１に接続され、会員情報ＤＢ１５や出品医薬品ＤＢ１７のデータの修正などを行う。
【００２３】
会員端末３は、医薬品取サーバ１とインターネット５を介して接続され、パスワードやＩＤを用いて、医薬品取引サーバ１にアクセスし、在庫管理部１２や取引管理部１３のデータを取得する。
【００２４】
このような構成を有する医薬品流通システムにおいて、医薬品の出品から医薬品の購入決定ならびに購入した医薬品の配送について、以下説明する。
【００２５】
出品希望者が医薬品取引サーバ１にアクセスし、ＩＤやパスワードなどを入力して、アクセスが認められると、図２に示す薬剤名記入欄、出品数記入欄、使用期限記入欄を有する出品登録画面Ｐ１が表示される。必要事項を記入し、図３に示す出品確認画面Ｐ２へ移行して“出品ボタン”をクリックすると、出品が完了する。
【００２６】
取引管理機能１２は、出品医薬品ＤＢ１７に出品医薬品を登録する。出品医薬品ＤＢ１７には、薬剤名、剤形、内容／外用の別、出品単位、製薬会社名、出品数、使用期限、割引率、出品者情報などが登録される。
【００２７】
購入希望者が、医薬品取引サーバ１へアクセスすると、ＩＤやパスワードなどを入力して、アクセスが認められると、図４に示す薬剤名、剤形、内容／外用の別、出品単位、製薬会社名、出品数、使用期限、割引率、出品者情報を有する取引医薬品一覧情報（在庫一覧情報）画面Ｐ３が表示される。
【００２８】
購入希望者は在庫情報一覧を検索し適応する医薬品があると、必要な医薬品の表示を反転させ“見積もり”ボタンをクリックする。図５に示す見積もり画面Ｐ４において、購入数を入力すると、金額欄に購入金額が表示される。見積もり画面Ｐ４で“注文画面へ”ボタンをクリックすると、図６に示す注文確認画面Ｐ５へ移行する。注文画面Ｐ５には，注文内容として、薬剤名、剤形、内用／外用の別、単位、製薬会社名、使用期限、割引率、出品者情報、購入単価、購入数、購入金額が表示される。確認の後、“購入ボタン”をクリックすると、注文手続が完了する。
【００２９】
注文手続が完了すると、取引管理機能１２は、出品者に、薬剤名、剤形、内用／外用の別、単位、製薬会社名、使用期限、割引率、購入者情報、購入単価、購入数、購入金額、配送業者など取引の内容を通知するとともに、出品者に取引の完了を通知する。また、取引管理機能１２は、ＤＢ管理機能１４により、出品医薬品ＤＢ１７の内容を削除または修正する。
【００３０】
一連の取引手続が終了すると、出品者は、当該医薬品を購入者の指定する宅配業者などに依頼して購入者に発送する。購入者は、出品者の指定する口座に代金を振り込む。
【００３１】
このようにして、使用期限の近づいた医薬品を、その使用期限内に余裕を持ってさばくことができる購入希望者に譲ることができ、医薬品の有効な活用ができる。さらに、このシステムによれば、取引相手が顕在化しているので、医薬品の配送や、代金の支払いなしをなくすことができ、信用度の高い医薬品流通システムを構築することができる。
【００３２】
以下、新規会員の登録処理について、説明する。新規に会員に登録を希望する薬局から医薬品流通システムの医薬品取引サーバ１にアクセスがあると、図７に示す新規会員登録画面Ｐ６が表示される。新規会員登録画面Ｐ６には、ＩＤ記入欄、パスワード記入欄、
薬局名記入欄、担当者記入欄、薬局所在地記入欄、電話番号、薬局開設許可番号記入欄、メールアドレス記入欄、利用権限選択欄が設けられている。ＩＤ記入欄以外の欄を記入して“新規登録する”ボタンをクリックすると、会員情報ＤＢ１５に会員情報が仮登録される。医薬品取引サーバ１の管理者は、入会希望者に対して、薬局開設許可証の提示を求める。入会希望者は薬局開設許可証の写しを管理者に対してファクスなどで送ると、管理者は薬局開設許可番号が一致するときに入会を許可し、新規入会希望者にＩＤを付与して、ＩＤを入会希望者に送付し、入会を許可する。
【００３３】
このようにして、本発明にかかる薬品流通システムは、薬局開設許可を所有する薬局のみを対象として、相互の薬局を確認して医薬品を流通させることができ、信用性の高い取引を行うことができる。
【００３４】
図１において、購入医薬品ＤＢ１８を設けることにより、購入希望時に希望とする薬品を探せなかった場合でも、購入医薬品ＤＢ１８に購入希望薬品名と、購入希望数量、購入希望価格、薬局名などを登録しておくことによって、当該医薬品の出品を希望する出品希望者は、購入医薬品ＤＢ１８にアクセスし、当該医薬品の購入希望者があるときには、直ちに取引を開始することができる。
【図面の簡単な説明】
【００３５】
【図１】本発明にかかる医薬品流通システムの構成の概要を説明する図。
【図２】本発明における出品登録画面を説明する図。
【図３】本発明における出品確認画面を説明する図。
【図４】本発明における見積もり画面を説明する図。
【図５】本発明における注文確認画面を説明する図。
【図６】本発明における在庫情報一覧画面を説明する図。
【図７】本発明における新規会員登録画面を説明する図。
【符号の説明】
【００３６】
１…医薬品取引サーバ、１１…会員情報管理機能、１２…取引管理機能、１３…取引医薬品一覧表示機能、１４…ＤＢ管理機能、１５…会員ＤＢ、１６…医薬品情報ＤＢ、１７…出品医薬品ＤＢ、１８…購入医薬品ＤＢ、２…管理端末、３…会員端末、５…インターネット
【図１】
2007026035.tif 000003
【図２】
2007026035.tif 000004
【図３】
2007026035.tif 000005
【図４】
2007026035.tif 000006
【図５】
2007026035.tif 000007
【図６】
2007026035.tif 000008
【図７】
2007026035.tif 000009